(57)【要約】      （修正有）【課題】吊り下げ式枠イスにおいて、利便性、快適性、耐久性、及び安全性の改善を行う。【解決手段】枠イス座席１と一対の頭側上支点６ａを連結している一対の頭側枠イス座席吊り下げチェーン２ａを中に通して一対の外周縦鋼管フレームを設置し、左右の外周縦鋼管フレームの上下の端同士を一対の外周横鋼管フレームで連結して長方形のフレーム構造を形成し、そのフレーム構造の中に外周横鋼管フレームと平行に任意数の可動横鋼管フレームを左右の外周縦鋼管フレームに連結して固定し、その連結は可動横鋼管フレームが外周縦鋼管フレーム内の上下方向の自由な位置に変更して固定することを可能とし、外周横鋼管フレームと可動横鋼管フレームの任意位置に頭のせクッション１８及び背持たれクッション１９を設置し、外周縦鋼管フレームより下部の一対の頭側枠イス座席吊り下げチェーン２ａの同水平位置に一対の背もたれストッパー１７を取り付けて全体の背もたれユニット８の上下位置を固定する。【選択図】図２
0003216717.tif 000002
【実用新案登録請求の範囲】
【請求項１】
特願２０１３−２０８６７３特許請求の範囲の請求項１で提案された４支点吊り下げ式枠イスにおいて、金属製頭側チェーンを削除し枠イス座席と連結している一対の頭側枠イス座席吊り下げチェーンの他方の端を頭側上支点に連結し、各々の前記頭側枠イス座席吊り下げチェーンを中に通して一対の外周縦鋼管フレームを設置し、左右の前記外周縦鋼管フレームの上下の端同士を一対の外周横鋼管フレームで連結して長方形のフレーム構造を形成し、そのフレーム構造の中に前記外周横鋼管フレームと平行に任意数の可動横鋼管フレームを左右の前記外周縦鋼管フレームに連結して固定し、その連結は前記可動横鋼管フレームが前記外周縦鋼管フレーム内の上下方向の自由な位置に変更して固定することを可能とし、前記外周横鋼管フレームと前記可動横鋼管フレームの任意位置に頭のせクッション及び背持たれクッションを設置し、前記外周縦鋼管フレームより下部の一対の前記頭側枠イス座席吊り下げチェーンの同水平位置に一対の背もたれストッパーを取り付けて全体の背もたれユニットの上下位置を固定することを特徴とする吊り下げ式のイス。
【請求項２】
上記請求項１で提案された吊り下げ式のイスにおいて、一対のサイドロープと頭側上支点の間及び一対の頭側枠イス座席吊り下げチェーンと前記頭側上支点の間にスプリングを連結し、一対の前記サイドロープと足側下支点の間にスプリングとターンバックルを直列に連結するとを特徴とする吊り下げ式のイス。
【請求項３】
特願２０１３−２０８６７３特許請求の範囲の請求項１で提案された４支点吊り下げ式枠イスにおいて、サイドロープと足側枠イス座席吊り下げチェーンを連結する一対の枠イス座席吊下げチェーンサイドロープ連結フックの具体的な形態として、一対の前記サイドロープに対してこれを中に通して鋼管をベントした曲がりチューブを前記サイドロープに取り付け、チューブチェーン連結冶具によって前記曲がりチューブと前記足側枠イス座席吊り下げチェーンを連結する形態をとることを特徴とする吊り下げ式のイス。
【考案の詳細な説明】
【技術分野】
【０００１】
本考案は、吊り下げ式のイスに関する。        
【背景技術】
【０００２】
図１により、特願２０１３−２０８６７３特許請求の範囲の請求項１で提案された４支点吊り下げ式枠イスについて説明する。枠イス座席(１)は、一対の足側枠イス座席吊り下げチェーン(２ｂ)と枠イス座席吊下げチェーンサイドロープ連結フック(３)を介して一対のサイドロープ(４)と、一対の頭側枠イス座席吊下げチェーン(２ａ)を介して金属製頭側チェーン(５)によって吊り下げられている。サイドロープ(４)は、頭側上支点(６ａ)と足側下支点(６ｂ)につながれている。金属製頭側チェーン(５)は一本のチェーンであり、その両端は一対の頭側上支点(６ａ)につながれている。一対の頭側上支点(６ａ)の２点を結んだ直線の中点を通る直線に垂直な平面は、一対の足側下支点(６ｂ) の２点を結んだ直線の中点を通る直線に垂直な平面と同一であり、この平面は地面に垂直である。背もたれ(７)が、金属製頭側チェーン(５)と一対の頭側枠イス座席吊下げチェーン(２ａ)に固定されている。枠イス座席(１)は、長方形に組まれた鋼管フレームにフレキシブルバンドを十字に編みこむことによって座席シートを形成している。この長方形の鋼管フレームの４つの角にはフックが付いており、一対の頭側枠イス座席吊下げチェーン(２ａ)及び一対の足側枠イス座席吊り下げチェーン(２ｂ)との連結に使用される。
【先行技術文献】
【特許文献】
【０００３】
【特許文献１】特願２０１３−２０８６７３
【特許文献２】特願２０１０−１７３２３５
【考案の概要】
【考案が解決しようとする課題】
【０００４】
図１の特願２０１３−２０８６７３特許請求の範囲の請求項１で提案された４支点吊り下げ式枠イスにおける課題を説明する。枠イス座席(１)、頭側枠イス座席吊下げチェーン(２ａ)、足側枠イス座席吊り下げチェーン(２ｂ)、サイドロープ(４)、及び金属製頭側チェーン(５)において適度な弾力性を有しているものが無く、イスへの乗降時やイスに座って動いた時に人体が受けるショックを和らげる効果が少なく、イス使用時の快適性が悪い。イス使用による長時間の人体加重によりサイドロープ(４)が伸び枠イス座席(１)が下がってくるが、サイドロープ(４)を元の長さに戻すのにサイドロープ(４)と頭側上支点(６ａ)または足側下支点(６ｂ)を連結しているサイドロープ(４)の結び目を解き長さ調整後再度結び直して連結する必要があり面倒である。イス使用時の人体加重が枠イス座席吊下げチェーンサイドロープ連結フック(３)部のサイドロープ(４)に掛かり、その部分の摩耗等によるサイドロープ(４)損傷が大きく耐久性を損ねる。また、枠イス座席吊下げチェーンサイドロープ連結フック(３)とサイドロープ(４)の間に指等を挟みけがをする危険性がある。人体の座高に合わせた背もたれ(７)の高さの調整が面倒である。イス使用時の頭のせが無い。
【０００５】
本考案は、上記課題を克服するため、特願２０１３−２０８６７３特許請求の範囲の請求項１で提案された４支点吊り下げ式枠イスの改良を目的とする。
【課題を解決するための手段】
【０００６】
図２に本考案の特願２０１３−２０８６７３特許請求の範囲の請求項１で提案された４支点吊り下げ式枠イスの改良後の図面を示しており、これに基づいて本考案を説明する。
図３には、その改良後の４支点吊り下げ式枠イスの3面図を示す。背もたれ部は新たに背もたれユニット(８)を設置する。背もたれユニット(８)は、鋼管によるフレーム構造をしており、このフレーム構造のみについて図４に示す。一対の外周縦鋼管フレーム(９)と一対の外周横鋼管フレーム(１０)が固定直角ジョイント(１１)で連結され、長方形の外周フレーム構造を形成している。２本の可動横鋼管フレーム(１２)が左右の外周縦鋼管フレーム(９)とスルー直角ジョイント(１３)で連結されている。図４部品Ａは、固定直角ジョイント(１１)とスルー直角ジョイント(１３)の形態を示したものであるが、固定直角ジョイント(１１)は円筒穴(１４)に外周縦鋼管フレーム(９)が通され固定されるが、スルー直角ジョイント(１３)は円筒穴(１４)に外周縦鋼管フレーム(９)が通され固定されないため、可動横鋼管フレーム(１２)は外周縦鋼管フレーム(９)内での上下方向の移動が可能となる。図４部品Ｂは、鋼管スットパー(１５)であり、鋼管通し穴(１６)に鋼管フレームを通しネジで締め付けることによって固定される。外周縦鋼管フレーム(９)に鋼管スットパー(１５)を取り付けて固定することにより、可動横鋼管フレーム(１２)を外周縦鋼管フレーム(９)内の上下方向の自由な位置に固定することができる。図４に示した背もたれのフレーム構造では、外周縦鋼管フレーム(９)への部品の取り付けは全て鋼管の外側から行っており、外周縦鋼管フレーム(９)の鋼管内側の穴には何も無い状態であり穴が通っている状態を維持している。図２では頭側枠イス座席吊下げチェーン(２ａ)が外周縦鋼管フレーム(９)の上下から出ているが、頭側枠イス座席吊下げチェーン(２ａ)は外周縦鋼管フレーム(９)の穴の中を通り枠イス座席(１)及びスプリング(２０)を介して頭側上支点(６ａ)と一本で繋がっていることを示している。図１の特願２０１３−２０８６７３特許請求の範囲の請求項１で提案された４支点吊り下げ式枠イスで使用した金属製頭側チェーン(５)は本考案では必要ないため省いている。このままでは背もたれユニット(８)が枠イス座席(１)まで落ちてしまうので、背もたれストッパー(１７)を一対の頭側枠イス座席吊下げチェーン(２ａ)の同水平位置に取り付ける。背もたれストッパー(１７)は外周縦鋼管フレーム(９)の穴より大きいので、背もたれユニット(８)がその位置で止まり上下位置が固定される。頭のせクッション(１８)が上側の可動横鋼管フレーム(１２)に付けられ、背持たれクッション(１９)が下側の可動横鋼管フレーム(１２)と下側の外周横鋼管フレーム(１０)に取り付けられる。
【０００７】
一対のサイドロープ(４)と足側下支点(６ｂ)の間にスプリング(２０)とターンバックル(２１)を直列に連結する。一対のサイドロープ(４)と頭側上支点(６ａ)の間にスプリング(２０)を連結する。一対の頭側枠イス座席吊下げチェーン(２ａ)と頭側上支点(６ａ)の間にスプリング(２０)を連結する。スプリング(２０)の総数は６本となり、ターンバックル(２１)の総数は２本となる。
【０００８】
図１の特願２０１３−２０８６７３特許請求の範囲の請求項１で提案された４支点吊り下げ式枠イスにおける枠イス座席吊下げチェーンサイドロープ連結フック(３)に対して、これを改良したロープスライドチューブ(２２)と入れ換える。図５にこのロープスライドチューブ(２２)とその部品である曲がりチューブ(２３)及びチューブチェーン連結冶具(２４)を示す。図５部品Ａに示した曲がりチューブ(２３)は鋼管をベントしたものであり、そのベント角(２５)が図２に示したサイドロープ折れ角(２６)と同等の角度になるよう製作される。チューブ内径(２７)は、サイドロープ(４)が曲がりチューブ(２３)の穴に通されスライド出来ることに加え、サイドロープ(４)と曲がりチューブ(２３)内壁の隙間に人体の一部が挟まれ怪我等が起こらない寸法に設計される。図５詳細図ａ１の面取り部(２８)に示したごとく、曲がりチューブ(２３)の端の穴の入口を滑らかに面取りし、曲がりチューブ(２３)スライド時のサイドロープ(４)の損傷を防ぐ。図５部品Ｂに示したチューブチェーン連結冶具(２４)では、２枚の側壁(２９)に挟まれた１本のチューブセット上ポール(３０)と２本のチューブセット下ポール(３１)で曲がりチューブ(２３)が固定される。２本のチューブセット下ポール(３１)は、曲がりチューブ(２３)に刻まれた固定溝(３２)内にはめ込まれ、曲がりチューブ(２３)がずれないようにする。チェーンセットポール(３３)に足側枠イス座席吊り下げチェーン(２ｂ)が連結される。
【考案の効果】
【０００９】
背もたれユニット(８)により、イスにのる人の座高やイスの使用状況によって背もたれや頭のせの高さを自由に調整できる。
スプリング(２０)の設置によって適度な弾力性が得られ、イスへの乗降時やイスに座って動いた時に人体が受けるショックを和らげることができ、イス使用時の快適性が増す。また、この弾力性が人体だけでなく着用している衣服や本考案の吊り下げ式のイス自体の使用材料の損傷を防ぐ効果を与える。イス使用による長時間の人体加重によりサイドロープ(４)が伸び枠イス座席(１)が下がってきた時、ターンバックル(２１)を調整することにより簡単に枠イス座席(１)の高さを元に戻すことができる。
ロープスライドチューブ(２２)の部品である図５部品Ａに示した曲がりチューブ(２３)の曲がり円弧半径(３４)を大きくすることにより、サイドロープ(４)と曲がりチューブ(２３)の接触面積が大きくなって人体加重よるサイドロープ(４)の部分的に加わる加重密度を小さくすることができ、サイドロープ(４)の加重印加部分の損傷が小さくなり耐久性が向上する。サイドロープ(４)と曲がりチューブ(２３)内壁の隙間を小さくすることにより、指等がその隙間に挟まれて怪我をする危険性を無くすことができる。
【図面の簡単な説明】
【００１０】
【図１】特願２０１３−２０８６７３特許請求の範囲の請求項１で提案された４支点吊り下げ式枠イス
【図２】図１から改良を施した本考案の４支点吊り下げ式枠イス
【図３】本考案の４支点吊り下げ式枠イス(図２)の３面図
【図４】背もたれユニットの鋼管によるフレーム構造
【図５】ロープスライドチューブ
【図６】本考案の４支点吊り下げ式枠イスの使用形態例
【考案を実施するための形態】
【００１１】
図２に示した本考案の４支点吊り下げ式枠イスを、ベッド(３５)の上に設置された特願２０１０−１７３２３５で提案された発明を応用したハンモックスタンド(３６)にセットし、人が座った図面を図６に示す。ハンモックスタンド(３６)の一対の頭側上支点(６ａ)と一対の足側下支点(６ｂ)の位置関係は決まっているのでこの位置関係に合わせた４支点吊り下げ式枠イスの設計が必要である。スプリング(２０)とターンバックル(２１)を付加することによりその長さ分だけサイドロープ(４)及び頭側枠イス座席吊下げチェーン(２ａ)の長さを短くする。サイドロープ折れ角(２６)は、ハンモックスタンド(３６)の頭側上支点(６ａ)と足側下支点(６ｂ)の位置関係、サイドロープ(４)の長さ、及び枠イス座席(１)の位置等で決まるので、ロープスライドチューブ(２２)の部品である曲がりチューブ(２３)のベント角(２５)をこれに合わせる。
【符号の説明】
【００１２】
１  枠イス座席
２ａ  頭側枠イス座席吊り下げチェーン
２ｂ  足側枠イス座席吊り下げチェーン
３  枠イス座席吊下げチェーンサイドロープ連結フック
４  サイドロープ
５  金属製頭側チェーン
６ａ  頭側上支点
６ｂ  足側下支点
８  背もたれユニット
９  外周縦鋼管フレーム
１０  外周横鋼管フレーム
１２  可動横鋼管フレーム
１７  背もたれストッパー
１８  頭のせクッション
１９  背持たれクッション
２０  スプリング
２１  ターンバックル
２３  曲がりチューブ
２４  チューブチェーン連結冶具
【図１】
0003216717.tif 000003
【図２】
0003216717.tif 000004
【図３】
0003216717.tif 000005
【図４】
0003216717.tif 000006
【図５】
0003216717.tif 000007
【図６】
0003216717.tif 000008
【手続補正書】
【提出日】平成30年4月5日(2018.4.5)
【手続補正１】
【補正対象書類名】実用新案登録請求の範囲
【補正対象項目名】全文
【補正方法】変更
【補正の内容】
【実用新案登録請求の範囲】
【請求項１】
吊り下げ式のイスにおいて、枠イス座席と一対の頭側上支点を連結している一対の頭側枠イス座席吊り下げチェーンを中に通して一対の外周縦鋼管フレームを設置し、左右の前記外周縦鋼管フレームの上下の端同士を一対の外周横鋼管フレームで連結して長方形のフレーム構造を形成し、そのフレーム構造の中に前記外周横鋼管フレームと平行に任意数の可動横鋼管フレームを左右の前記外周縦鋼管フレームに連結して固定し、その連結は前記可動横鋼管フレームが前記外周縦鋼管フレーム内の上下方向の自由な位置に変更して固定することを可能とし、前記外周横鋼管フレームと前記可動横鋼管フレームの任意位置に頭のせクッション及び背持たれクッションを設置し、前記外周縦鋼管フレームより下部の一対の前記頭側枠イス座席吊り下げチェーンの同水平位置に一対の背もたれストッパーを取り付けて全体の背もたれユニットの上下位置を固定することを特徴とする吊り下げ式のイス。
【請求項２】
ロープとチェーンで吊り下げられた吊り下げ式のイスにおいて、ロープ及びチェーンと吊り下げ支点の間に直列にスプリングが連結され、ロープと吊り下げ支点の間に直列にターンバックルを連結することを特徴とする吊り下げ式のイス。
【請求項３】
ロープにチェーンが連結されたフックを引掛ける構造を有する吊り下げ式のイスにおいて、フックの具体的な形態として、ロープに対してこれを中に通して鋼管をベントした曲がりチューブを前記ロープに取り付け、チューブチェーン連結冶具によって前記曲がりチューブとチェーンを連結することを特徴とする吊り下げ式のイス。